(57)【要約】【課題】トラクション性能を向上でき、しかもスタッドからの突き上げ力を分散できる陸上競技用スパイクシューズを提供する。【解決手段】接地面に複数のスタッド２０を有し、薄板状の硬質合成樹脂から形成されたアウトソール２を設ける。アウトソール２は、着用者の足の拇趾球部ＴＥおよび子趾球部ＨＥにそれぞれ対応する位置において、接地面側に向かって下方に突出する第１および第２の凸状湾曲部２ａ，２ｂを有し、第１および第２の凸状湾曲部２ａ，２ｂが屈曲時の前足部Ｆの形状に沿う形状を有している。また、スタッドのうちのいくつかのスタッド２０は、第１および第２の凸状湾曲部２ａ，２ｂの凸状湾曲面に設けられている。【選択図】　図２
2004105578.tif 000002
【特許請求の範囲】
【請求項１】
クリーツシューズのソール構造であって、
底面に複数のスタッドを有しかつ薄板状の硬質部材からなるアウトソールを備え、
前記アウトソールが、着用者の足の拇趾球部および子趾球部にそれぞれ対応する位置において、接地面側に向かって下方に突出する第１および第２の凸状湾曲部を有するとともに、前記第１および第２の凸状湾曲部が足の前足部の屈曲時の形状に沿う形状を有しており、前記スタッドのうちのいくつかのスタッドが、前記第１および第２の凸状湾曲部の凸状湾曲面上に設けられている、
ことを特徴とするクリーツシューズのソール構造。
【請求項２】
請求項１において、
前記アウトソールが、着用者の足の第１趾末節骨に対応する位置において、接地面側に向かって下方に突出する第３の凸状湾曲部を有しており、前記スタッドのうちのいくつかのスタッドが、前記第３の凸状湾曲部の凸状湾曲面上に設けられている、
ことを特徴とするクリーツシューズのソール構造。
【請求項３】
請求項２において、
前記アウトソールが、着用者の足の第２趾から第５趾にかけての各末節骨および各中節骨間の各指節間関節を含む領域に対応する領域において、接地面側に向かって下方に突出する第４の凸状湾曲部を有しており、前記スタッドのうちのいくつかのスタッドが、前記第４の凸状湾曲部の凸状湾曲面上に設けられている、ことを特徴とするクリーツシューズのソール構造。
【請求項４】
請求項１において、
前記アウトソールの前記第１および第２の凸状湾曲部を含む横断面形状が、偏平な略Ｗ字状形状を有している、
ことを特徴とするクリーツシューズのソール構造。
【請求項５】
請求項１ないし４のいずれかにおいて、
前記アウトソールの足裏当接側の少なくとも前足部分には、軟質弾性部材から構成されるミッドソールがさらに設けられている、
ことを特徴とするクリーツシューズのソール構造。
【発明の詳細な説明】
【０００１】
【発明の属する技術分野】
本発明は、陸上競技やサッカー、ラグビー、野球、ゴルフなどに用いられるクリーツシューズ（スパイクシューズ）に関し、とくに、ソールおよび足裏間のフィッティング性向上によるトラクション性能の向上およびクリーツ（スパイク）からの突き上げ力の分散のためのソール構造の改良に関する。
【０００２】
【従来の技術およびその課題】
従来の陸上競技用クリーツシューズにおいては、シューズを足に強固に固定するために、ベルトや靴紐などの種々の緊締手段を用いたものが提案されている。これらのシューズでは、ベルトや靴紐などの緊締手段を締め付けることによって、シューズの甲被部を介して足をアウトソール側に強固に押し付けようとしている。
【０００３】
このようなシューズのアウトソールは、長さ方向にはほぼ足の形に沿った形状に形成されているものの、幅方向にはほぼ平坦状に形成されている。ところが、足のとくに前足部は幅方向にも凹凸のある形状を有しているため、従来のシューズでは、緊締手段を締め付けても、前足部足裏をアウトソールに完全に密着させることができない。また、走行時に力が加わる領域は前足部の足裏全体ではなく前足部の足裏の一部分であるが、当該足裏部分をアウトソールに完全に密着させることができなければ、走行時に足裏およびソール間でずれが生じて、足から接地面に対して確実にグリップ力を伝達できない場合が生じ得る。この場合、シューズとしてのトラクション性能が低下することになる。
【０００４】
その一方、特開平１０−４２９０４号公報には、自転車用靴底に関するものではあるが、足の拇趾球部および子趾球部に対応する位置にそれぞれ凹状部を形成したものが提案されている。この場合、足の拇趾球部および子趾球部をそれぞれ対応する凹状部に固定させることによって、足の踏み込み力を自転車のペダルに即座に伝達できるようになる点が上記公報に記載されている。
【０００５】
【特許文献１】
特開平１０−４２９０４号公報（図２）
【０００６】
しかしながら、シューズのソール面の一部をペダルに接触させて足を屈曲させずに足全体でペダルを押す自転車競技と異なり、陸上競技の場合には、着地時に接地面を確実にとらえ、離地時に接地面をキックして足を前方に進める必要があるため、ソールの前足部には屈曲時のトラクション性能が要求される。
【０００７】
また、陸上競技用クリーツシューズの場合、走行時には、スタッドから足裏に対して大きな突き上げ力が作用する。このため、陸上競技用クリーツシューズにおいては、トラクション性能を向上させると同時に、スタッドからの突き上げ力に対する対策が必要になる。
【０００８】
本発明は、このような従来の実情に鑑みてなされたもので、その目的は、ソールおよび足裏間のフィッティング性の向上によりトラクション性能を向上でき、しかもスタッドからの突き上げ力を分散できるクリーツシューズのソール構造を提供することにある。
【０００９】
【課題を解決するための手段】
請求項１の発明に係るクリーツシューズのソール構造は、接地面に複数のスタッドを有しかつ薄板状の硬質部材からなるアウトソールを備えている。アウトソールは、着用者の足の拇趾球部および子趾球部にそれぞれ対応する位置において、接地面側に向かって下方に突出する第１および第２の凸状湾曲部を有しており、第１および第２の凸状湾曲部が足の前足部の屈曲時の形状に沿う形状を有している。スタッドのうちのいくつかのスタッドは、第１および第２の凸状湾曲部の凸状湾曲面上に設けられている。
【００１０】
請求項１の発明によれば、アウトソールが着用者の足の拇趾球部および子趾球部に対応する位置に第１および第２の凸状湾曲部を有しており、これらの凸状湾曲部が足の前足部の屈曲時の形状に沿う形状を有しているので、走行時に足の前足部が屈曲した際には、屈曲した前足部を第１および第２の凸状湾曲部の各凹部内に密着させてフィッティング性を向上できるようになる。これにより、前足部の屈曲の際に足裏から接地面に対して確実にグリップ力を伝達させることができ、シューズとしてのトラクション性能を向上できる。
【００１１】
しかも、この場合には、スタッドが第１および第２の凸状湾曲部の凸状湾曲面上に設けられているので、接地時にスタッドからの突き上げ力が作用したとき、この突き上げ力をスタッドの周囲の凸状湾曲面に放射状に（すなわち３６０°の方向に）効果的に分散させることができる。これに対して、従来のソール構造のように、スタッドが平坦面上に設けられている場合には、スタッドからの突き上げ力はそのままアウトソールを上方に突き上げる方向に作用して足裏に圧力を及ぼすことになる。
【００１２】
なお、ここで、足の「拇趾球部」とは、解剖学上、足の第１足指中足趾節関節ＭＪ１　部分を指し、「子趾球部」とは、同様に解剖学上、足の第５足指中足趾節関節ＭＪ５　部分を指している（図３参照）。
【００１３】
請求項２の発明によれば、アウトソールが、着用者の足の第１趾末節骨に対応する位置に第３の凸状湾曲部を有しているので、蹴り出しの際に、足の第１趾を第３の凸状湾曲部の凹部内に密着させてフィッティング性を向上できるようになり、これにより、蹴り出し時に第１趾から接地面に対して確実にグリップ力を伝達させることができ、シューズとしてのトラクション性能を向上できる。
【００１４】
しかも、この場合には、スタッドが第３の凸状湾曲部の凸状湾曲面上に設けられているので、接地時にスタッドからの突き上げ力が作用したとき、この突き上げ力をスタッドの周囲の凸状湾曲面に放射状に（すなわち３６０°の方向に）効果的に分散させることができる。
【００１５】
請求項３の発明によれば、アウトソールが、着用者の足の第２趾から第５趾にかけての各末節骨および各中節骨間の各指節間関節を含む領域に対応する領域において、第４の凸状湾曲部を有しているので、蹴り出しの際に、足の第２趾から第５趾を第４の凸状湾曲部の凹部内に密着させてフィッティング性を向上できるようになり、これにより、蹴り出し時に第２趾ないし第５趾から接地面に対して確実にグリップ力を伝達させることができ、シューズとしてのトラクション性能を向上できる。
【００１６】
しかも、この場合には、スタッドが第４の凸状湾曲部の凸状湾曲面上に設けられているので、接地時にスタッドからの突き上げ力が作用したとき、この突き上げ力をスタッドの周囲の凸状湾曲面に放射状に（すなわち３６０°の方向に）効果的に分散させることができる。
【００１７】
請求項４の発明に記載されているように、アウトソールの第１および第２の凸状湾曲部を含む横断面形状は、偏平な略Ｗ字状形状を有しているのが好ましい。
【００１８】
請求項５の発明においては、軟質弾性部材から構成されるミッドソールがアウトソールの足裏当接側の少なくとも前足部分に設けられている。
【００１９】
この場合には、足の前足部の踏み付け時には、足裏の形状にしたがってミッドソールが弾性変形するので、足裏形状の個人差を問わず、ミッドソールの足裏当接面を足の前足部の凹凸形状に沿った形状にすることができる。これにより、足の前足部の踏み付け時には、足裏形状の個人差を問わず、ミッドソールを介して前足部をアウトソールに密着させることができるようになってフィッティング性をさらに向上できる。その結果、足から接地面に対して確実にグリップ力を伝達させることができ、シューズとしてのトラクション性能を向上できるようになる。また、この場合には、スタッドからの突き上げ力をミッドソールにより緩和することができる。
【００２０】
【発明の実施の形態】
以下、本発明の実施態様を添付図面に基づいて説明する。
図１ないし図６は、本発明の一実施態様による陸上競技用クリーツシューズ（スパイクシューズ）のソール構造を説明するための図であって、図１はシューズの底面概略図、図２は図１のＩＩ−ＩＩ　線断面部分図、図３は図１のＩＩＩ−ＩＩＩ　線断面部分図、図４は足の拇指球部および子指球部の位置を足の骨格構造との関係で示す図、図５は前足部足裏における足圧分布をアウトソールから接地面に作用するトラクション力とともに示す図、図６は本実施態様の作用効果の一つを説明するための図である。
【００２１】
図１に示すように、この陸上競技用クリーツシューズ１は、アウトソール２と、アウトソール２の上に固着された甲被部３とを備えている。
【００２２】
アウトソール２は、図２に示すように、薄板状の部材であって、たとえば硬質合成樹脂から構成されている。アウトソール２の底面には、たとえばセラミックス、金属または硬質合成樹脂などから形成された複数のスタッド２０が設けられている。
【００２３】
アウトソール２の前足部には、第１の凸状湾曲部２ａおよび第２の凸状湾曲部２ｂが形成されている。これらの凸状湾曲部２ａ，２ｂは、図２に示すように、いずれも接地面側に向かって下方に突出している。各凸状湾曲部２ａ，２ｂの間には、これらを滑らかに連結する凹状湾曲部２ｃが形成されている。また、スタッド２０のうちのいくつかは、凸状湾曲部２ａ，２ｂの各凸状湾曲面上に設けられている。
【００２４】
アウトソール２の前足部において、第１および第２の凸状湾曲部２ａ，２ｂの前方（図１上方）には、第３の凸状湾曲部２ｄおよび第４の凸状湾曲部２ｅが形成されている。これらの凸状湾曲部２ｄ，２ｅは、図３に示すように、いずれも接地面側に向かって下方に突出している。各凸状湾曲部２ｄ，２ｅの間には、これらを滑らかに連結する凹状湾曲部２ｆが形成されている。また、スタッド２０のうちのいくつかは、凸状湾曲部２ｄ，２ｅの各凸状湾曲面上に設けられている。
【００２５】
一方、図４には、足の骨格構造が示されている。同図に示すように、解剖学的には、第１趾の基節骨ＰＰ１　と中足骨Ｍ１　との間の第１趾中足趾節関節ＭＪ１　の部分およびその周囲の足裏膨出部分が拇趾球部ＴＥである。同様に、第５趾の基節骨ＰＰ５　と中足骨Ｍ５　との間の第５趾中足趾節関節ＭＪ５　の部分およびその周囲の足裏膨出部分が子趾球部ＨＥである。また、二点鎖線で囲まれた領域ＲＤは、第１趾末節骨ＤＰ１　に対応する領域を表しており、二点鎖線で囲まれた領域ＲＴは、第２趾から第５趾にかけての各末節骨ＤＰ２　〜ＤＰ５　と各中節骨ＭＰ２　〜ＭＰ５　との間の各指節間関節ＴＪ２　〜ＴＪ５　を含む領域を表している。
【００２６】
第１の凸状湾曲部２ａは拇趾球部ＴＥに対応する位置に配置されており、第２の凸状湾曲部２ｂは子趾球部ＨＥに対応する位置に配置されている。また、第１および第２の凸状湾曲部２ａ，２ｂは、図２に示すように、足の前足部Ｆが屈曲したときの足裏の形状に沿う湾曲形状を有している。これにより、アウトソール２は、第１および第２の凸状湾曲部２ａ，２ｂの形成個所において偏平な略Ｗ字状形状に形成されている。なお、図２には、アウトソール２の足裏当接面側に中敷４が設けられた例が示されており、この中敷４は、アウトソール２の湾曲形状に沿う湾曲形状を有している。
【００２７】
第３の凸状湾曲部２ｄは領域ＲＤに対応する位置に配置されており、第４の凸状湾曲部２ｅは領域ＲＴに対応する位置に配置されている。また、第３および第４の凸状湾曲部２ｄ，２ｅは、図３に示すように、足の前足部Ｆのつま先部における足裏の形状に沿う湾曲形状を有している。なお、図３においても、アウトソール２の足裏当接面側に中敷４が設けられた例が示されており、中敷４は、アウトソール２の湾曲形状に沿う湾曲形状を有している。
【００２８】
この場合には、アウトソール２に設けた第１および第２の凸状湾曲部２ａ，２ｂが足の前足部Ｆの屈曲時の形状に沿う形状を有しているので、走行時に足の前足部Ｆが屈曲した際には、前足部Ｆの拇趾球部ＴＥおよび子趾球部ＨＥが第１、第２の凸状湾曲部２ａ，２ｂの凹部内に密着し、これにより、足に対するアウトソール２のフィッティング性が向上する。
【００２９】
その結果、踏み込みおよび蹴り出し時において、前足部Ｆが屈曲する際に、足から接地面に対して確実にグリップ力を伝達できるようになり、シューズとしてのトラクション性能を向上できる。
【００３０】
さらに、この場合には、第３の凸状湾曲部２ｄが第１趾末節骨に対応する位置に配置され、第４の凸状湾曲部が第２趾から第５趾にかけての末節骨および中節骨間の指節間関節を含む領域に配置されているので、走行時に足の前足部Ｆが屈曲した際には、各足指が第３および第４の凸状湾曲部２ｄ，２ｅの凹部内に密着することになり、これにより、足に対するアウトソール２のフィッティング性がさらに向上する。
【００３１】
その結果、踏み込みおよび蹴り出し時において、前足部Ｆが屈曲する際に、足から接地面に対してより確実にグリップ力を伝達できるようになり、シューズとしてのトラクション性能を一層向上できる。
【００３２】
ここで、前足部の足裏に作用する足圧の分布と、前足部から接地面に作用するトラクション力の分布について、図５を用いて説明する。なお、同図中、等圧線が足圧分布を示しており、下方に向かう矢印が踏み込み時および蹴り出し時におけるトラクション力の向きを、上方に向かう矢印が着地時におけるトラクション力の向きをそれぞれ示している。また、図５において、図４と同一符号は同一または相当部分を示している。
【００３３】
図５に示すように、拇趾球部ＴＥ、領域ＲＤおよび領域ＲＴに対応する各位置において、足圧がとくに高くなっていることが分かる。また、踏み込み時および蹴り出し時には、拇趾球部ＴＥ、領域ＲＤおよび領域ＲＴに対応する各位置から接地面に対してトラクション力が作用しており、着地時には、子趾球部ＨＥに対応する位置から接地面に対してトラクション力が作用していることが分かる。
【００３４】
したがって、第１ないし第４の凸状湾曲部を設けることによって、前足部の足裏に対するアウトソールのフィッティング性を向上させることにより、踏み込み時および蹴り出し時のみならず着地時においても、接地面に対して効果的にトラクション力を及ぼすことができるようになる。
【００３５】
また、スタッド２０が第１および第２の凸状湾曲部２ａ，２ｂの凸状湾曲面上に設けられていることにより、図６に示すように、接地時にスタッド２０から上方への突き上げ力Ｐが作用したとき、この突き上げ力Ｐは、スタッド周囲の凸状湾曲面に沿って多数の分力Ｐ１　に分解されて放射状に（すなわち３６０°の方向に）分散する。これにより、スタッド２０からの突き上げ力を効果的に分散できる。
【００３６】
これに対して、従来のシューズのように、スタッドが平坦面に設けられている場合には、スタッドからの突き上げ力がそのままアウトソールを上方に突き上げる方向に作用するので、足裏に圧力を及ぼすことになる。
【００３７】
なお、第３および第４の凸状湾曲部２ｄ，２ｅの凸状湾曲面上にもスタッド２０が設けられており、同様にして、接地時には、スタッド２０からの突き上げ力を分散することが可能ではあるが、この場合には、各凸状湾曲部２ｄ，２ｅの湾曲度合いが小さいため、突き上げ力の分散の効果は、第１および第２の凸状湾曲部２ａ，２ｂの方が大きい。
【００３８】
ここで、凸状湾曲部の湾曲度合い（つまり突出量）について付言すると、一般に、足裏に作用する荷重が大きくなるほど、足の変形が大きくなるとともに、スタッドからの突き上げ力が大きくなり、接地面に対するトラクション力も大きくなる。したがって、爆発的に大きな力が作用する陸上短距離のような競技種目においては、凸状湾曲部の突出量を相対的に大きくする。一方、爆発的に大きな力が作用しにくい陸上長距離のような競技種目においては、凸状湾曲部の突出量を相対的に小さくする。なお、競技種目または競技者に応じて、競技中に大きな力が作用する部位の凸状湾曲部の突出量を大きくするようにすれば、より効果的なトラクション制御および突き上げ力分散制御を行えるようになる。
【００３９】
〔他の実施態様〕
図７および図８は本発明の他の実施態様による陸上競技用クリーツシューズのソール構造を示している。図７はソール構造の横断面図であって前記実施態様の図２に相当する図であり、図８は図７の実施態様の作用効果を説明するための図である。なお、これらの図において、前記実施態様と同一符号は同一または相当部分を示している。
【００４０】
この実施態様においては、中敷４とアウトソール２との間に軟質弾性部材製のミッドソール５が介装されている点が前記実施態様と異なっている。軟質弾製部材としては、たとえばエチレン−酢酸ビニル共重合体（ＥＶＡ）等の熱可塑性合成樹脂の発泡体やポリウレタン（ＰＵ）等の熱硬化性樹脂の発泡体、またはブタジエンラバーやクロロプレンラバー等のラバー素材の発泡体が用いられる。ミッドソール５の下面は、アウトソール２の各凸状湾曲部２ａ，２ｂに対応する凹凸形状を有しており、上面はほぼ平坦状に形成されている。中敷４は、ミッドソール５の上面に沿ってほぼ平坦状に形成されている。
【００４１】
この場合には、足の前足部Ｆを踏み付ける前の状態（図７）から前足部Ｆが踏み付けられると、図８に示すように、ミッドソール５が、前足部Ｆの足裏の凹凸形状およびアウトソール２の第１および第２の凸状湾曲部２ａ，２ｂの凹凸形状にしたがって、中敷４とともに弾性変形する。これにより、ミッドソール５の足裏当接面を足の前足部Ｆの凹凸形状に沿った形状にすることができる。
【００４２】
このようにして、足の前足部Ｆの踏み付け時には、ミッドソール５を介して前足部Ｆをアウトソール２に密着させることができるようになって、足裏形状の個人差を問わず、フィッティング性が向上する。これにより、足から接地面に対して確実にグリップ力が伝達され、踏み込みおよび蹴り出し時におけるシューズとしてのトラクション性能を向上できる。また、この場合には、スタッド２０からの突き上げ力をミッドソール５によっても緩和することができる。
【００４３】
次に、図７および図８の比較例として、従来のソール構造を図９および図１０に示す。なお、これらの図において、前記他の実施態様と同一符号は同一または相当部分を示している。
【００４４】
図９および図１０に示すように、従来のソール構造におけるアウトソール２′は、その底部に平坦状部２ｄを有している。この場合には、足の前足部Ｆを踏み付ける前の状態（図９）から、前足部Ｆが踏み付けられると、図１０に示すように、ミッドソール５の各部は、上下方向にほぼ均等に圧縮変形することになるので、ミッドソール５の足裏当接面を足の前足部Ｆの凹凸形状に密着させることができない。このため、従来のソール構造では、足から接地面に対して確実にグリップ力を伝達させることができない場合が生じていた。
【００４５】
これに対して、本発明によれば、足の前足部Ｆをアウトソール２またはミッドソール５の各足裏当接面に密着させることができるので、足から接地面に対して確実にグリップ力を伝達でき、シューズとしてのトラクション性能を向上できる。
【００４６】
なお、前記実施態様および前記他の実施態様では、陸上競技用のクリーツシューズを例にとって説明したが、本発明によるソール構造は、サッカー、ラグビー、野球、ゴルフなどの競技用のクリーツシューズにも同様に適用できる。
【００４７】
【発明の効果】
以上のように、本発明に係るソール構造によれば、アウトソールにおいて着用者の足の拇趾球部および子趾球部にそれぞれ対応する位置に、足の前足部の屈曲時の形状に沿う形状を有する第１および第２の凸状湾曲部を設けるようにしたので、足の前足部が屈曲した際に足から接地面に対して確実にグリップ力を伝達でき、シューズとしてのトラクション性能を向上できる効果がある。さらに、この場合には、スタッドが第１および第２の凸状湾曲部に設けられるので、接地時にスタッドからの突き上げ力をスタッドの周囲の凸状湾曲面で分散できる効果もある。
【図面の簡単な説明】
【図１】本発明の一実施態様によるソール構造を採用する陸上競技用クリーツシューズの底面概略図である。
【図２】図１のＩＩ−ＩＩ　線断面部分図である。
【図３】図１のＩＩＩ−ＩＩＩ　線断面部分図である。
【図４】第１ないし第４の凸状湾曲部の位置を足の骨格構造との関係で示す図である。
【図５】アウトソールにおけるトラクション力の分布を足圧分布とともに示す図である。
【図６】前記実施態様の作用効果の一つを説明するための図である。
【図７】本発明の他の実施態様によるソール構造を採用する陸上競技用クリーツシューズの横断面部分図であって、前記実施態様の図２に相当する図である。
【図８】図７の実施態様の作用効果の一つを説明するための図である。
【図９】従来の陸上競技用クリーツシューズの横断面部分図であって、前記他の実施態様の図７に相当する図である。
【図１０】図９のシューズにおいて、前記他の実施態様の図８の比較例に相当する図である。
【符号の説明】
１：　陸上競技用クリーツシューズ
２：　ソール
２ａ：　第１の凸状湾曲部
２ｂ：　第２の凸状湾曲部
２ｄ：　第３の凸状湾曲部
２ｅ：　第４の凸状湾曲部
２０：　スタッド
５：　ミッドソール
ＴＥ：　拇趾球部
ＨＥ：　子趾球部
ＤＰ：　末節骨
ＭＰ：　中節骨
ＴＪ：　指節間関節
【図１】
2004105578.tif 000003
【図２】
2004105578.tif 000004
【図３】
2004105578.tif 000005
【図４】
2004105578.tif 000006
【図５】
2004105578.tif 000007
【図６】
2004105578.tif 000008
【図７】
2004105578.tif 000009
【図８】
2004105578.tif 000010
【図９】
2004105578.tif 000011
【図１０】
2004105578.tif 000012